(57)【要約】【課題】発電した電力により報知可能なリモコン装置及びトイレ装置を提供する。【解決手段】トイレ装置と通信する発電式のリモコン装置であって、操作部と、前記操作部への操作が行われることで第１の電力を発電し、前記操作部が前記操作から解放されることで前記第１の電力と逆極性の第２の電力を発電する発電部と、前記第１の電力と前記第２の電力のうち、少なくともいずれか一方の電力を用いて前記操作が行われたことを報知する報知部と、を備えること特徴とするリモコン装置である。【選択図】図１
2019054442.tif 000002
【特許請求の範囲】
【請求項１】
トイレ装置と通信する発電式のリモコン装置であって、
操作部と、
前記操作部への操作が行われることで第１の電力を発電し、前記操作部が前記操作から解放されることで前記第１の電力と逆極性の第２の電力を発電する発電部と、
前記第１の電力と前記第２の電力のうち、少なくともいずれか一方の電力を用いて前記操作が行われたことを報知する報知部と、
を備えること特徴とするリモコン装置。
【請求項２】
前記第１の電力と前記第２の電力のうち、少なくともいずれか一方の電力を用いて前記操作部に応じた操作信号を前記トイレ装置に送信する送信部を更に備える、請求項１に記載のリモコン装置。
【請求項３】
前記送信部は、前記第１の電力を用いて前記操作部に応じた操作信号を前記トイレ装置に送信し、
前記報知部は、前記第２の電力を用いて前記操作が行われたことを報知する、
請求項２に記載のリモコン装置。
【請求項４】
前記第１の電力及び前記第２の電力のそれぞれを整流する整流部を備え、
前記整流部は、整流した前記第１の電力を前記送信部のみに供給し、整流した前記第２の電力を前記報知部のみに供給する、
請求項３に記載のリモコン装置。
【請求項５】
前記第１の電力のみを整流する整流部を備え、
前記送信部は、前記整流部により整流された前記第１の電力を用いて前記操作信号を前記トイレ装置に送信し、
前記報知部は、前記発電部から直接供給された前記第２の電力を用いて前記操作が行われたことを報知する、
請求項３に記載のリモコン装置。
【請求項６】
請求項２から請求項５のいずれか一項に記載のリモコン装置から送信された操作信号を取得した場合には、その取得した前記操作信号に応じた機能を実行することを特徴とするトイレ装置。
【発明の詳細な説明】
【技術分野】
【０００１】
本発明は、リモコン装置及びトイレ装置に関する。
【背景技術】
【０００２】
下記特許文献１には、操作ボタンの押下したときに発電する、いわゆる電池レスリモコン装置が開示されている。この電池レスリモコン装置は、この押下したときに発電した電力を用いて操作ボタンに応じた無線制御信号をトイレ装置に送信することで、その無線制御信号に応じて所定の動作をトイレ装置に実行させることができる。
【先行技術文献】
【特許文献】
【０００３】
【特許文献１】特開２０１６−１９２５８号公報
【発明の概要】
【発明が解決しようとする課題】
【０００４】
ところで、ユーザビリティの観点から、操作ボタンが確実に押下されたこと、すなわち無線制御信号が確実にトイレ装置に送信されたことをユーザに報知することが望ましい。しかしながら、電池レスリモコン装置では、操作ボタンが押下されたときに発電した電力は微小であって、その発電した電力を無線制御信号の送信に用いる必要がある。そのため、従来の電池レスリモコン装置では、報知するための電力を確保できず、発電した電力を用いて報知することができない。
【０００５】
本発明は、このような事情に鑑みてなされたもので、その目的は、発電した電力により報知可能なリモコン装置及びトイレ装置を提供することである。
【課題を解決するための手段】
【０００６】
本発明の一態様は、トイレ装置と通信する発電式のリモコン装置であって、操作部と、前記操作部への操作が行われることで第１の電力を発電し、前記操作部が前記操作から解放されることで前記第１の電力と逆極性の第２の電力を発電する発電部と、前記第１の電力と前記第２の電力のうち、少なくともいずれか一方の電力を用いて前記操作が行われたことを報知する報知部と、を備えること特徴とするリモコン装置である。
【０００７】
本発明の一態様は、上述のリモコン装置であって、前記第１の電力と前記第２の電力のうち、少なくともいずれか一方の電力を用いて前記操作部に応じた操作信号を前記トイレ装置に送信する送信部を更に備える。
【０００８】
本発明の一態様は、上述のリモコン装置であって、前記送信部は、前記第１の電力を用いて前記操作部に応じた操作信号を前記トイレ装置に送信し、前記報知部は、前記第２の電力を用いて前記操作が行われたことを報知する。
【０００９】
本発明の一態様は、上述のリモコン装置であって、前記第１の電力及び前記第２の電力のそれぞれを整流する整流部を備え、前記整流部は、整流した前記第１の電力を前記送信部のみに供給し、整流した前記第２の電力を前記報知部のみに供給する。
【００１０】
本発明の一態様は、上述のリモコン装置であって、前記第１の電力のみを整流する整流部を備え、前記送信部は、前記整流部により整流された前記第１の電力を用いて前記操作信号を前記トイレ装置に送信し、前記報知部は、前記発電部から直接供給された前記第２の電力を用いて前記操作が行われたことを報知する。
【００１１】
本発明の一態様は、上述のリモコン装置から送信された操作信号を取得した場合には、その取得した前記操作信号に応じた機能を実行するトイレ装置である。
【発明の効果】
【００１２】
以上説明したように、本発明によれば、発電した電力により報知することができる。
【図面の簡単な説明】
【００１３】
【図１】本発明の一実施形態に係るリモコン装置を備えたトイレシステムＡの概略構成の一例を示す図である。
【図２】本発明の一実施形態に係るリモコン装置２の前面を示す図である。
【図３】本発明の一実施形態に係るリモコン装置２の概略構成の一例を示す図である。
【図４】本発明の一実施形態に係る操作ボタン８の横断図であり、図２のＡ−Ａ線に沿う断面図である。
【図５】本発明の一実施形態に係る操作ボタン８の縦断面図であり、図２のＢ−Ｂ線に沿う断面図である。
【図６】本発明の一実施形態に係る発電部１１及びリンク機構１２を模式的に表した図である。
【図７】本発明の一実施形態に係るリンク機構１２の概略構成の一例を示す平面図である。
【図８】本発明の一実施形態に係る操作ボタン８が押下操作されていない状態（定常位置Ｈ１の状態）のリンク機構１２の断面図である。
【図９】本発明の一実施形態に係る操作ボタン８が押下操作されたときの状態（最下点位置Ｈ２の状態）のリンク機構１２の断面図である。
【図１０】本発明の一実施形態に係る制御部１３の概略構成の一例を示す図である。
【図１１】本発明の一実施形態に係る制御部１３の動作の流れを説明する図である。
【図１２】本発明の一実施形態に係る変形例１の制御部１３の概略構成を示す図である。
【図１３】本発明の一実施形態に係る変形例１の制御部１３の動作の流れを説明する図である。
【発明を実施するための形態】
【００１４】
以下、本発明の一実施形態に係るリモコン装置及びトイレ装置を、図面を用いて説明する。
【００１５】
図１は、本発明の一実施形態に係るリモコン装置及びトイレ装置を備えたトイレシステムＡの概略構成の一例を示す図である。図１に示すように、トイレシステムＡは、トイレ装置１及びリモコン装置２を備える。
【００１６】
トイレ装置１は、便座装置３及び便器本体４を備える。
【００１７】
便座装置３は、リモコン装置２と無線通信することで情報を送受する。この無線通信とは、例えば、電波による通信である。
便座装置３は、トイレルーム内に設けられた便器本体４上に設置されている。便座装置３は、便座ボックス５、便蓋６及び便座７を備える。
【００１８】
便座ボックス５は、便器本体４の後部に設置されている。
便蓋６及び便座７は、便座ボックス５に対して上下方向に回動可能に支持されている。
【００１９】
リモコン装置２は、トイレルームの所定位置に着脱可能に設置されている。例えば、この所定位置とは、例えば、トイレルームの壁面である。このリモコン装置２は、便座装置３と電波通信する。このリモコン装置２は、発電式のリモコンである。
【００２０】
図２は、本発明の一実施形態に係るリモコン装置２の前面を示す図である。
【００２１】
図２に示すように、リモコン装置２は、複数の操作ボタン８及び報知部９を備える。なお、操作ボタン８は、本発明の「操作部」の一例である。
【００２２】
複数の操作ボタン８は、便座装置３の各機能に対応するボタンであって、リモコン装置２の前面に設けられている。ユーザは、所望の機能（例えば、便器洗浄や衛生洗浄の吐水）に対応した操作ボタン８を押下操作することで、便座装置３に対して所望の機能を実行させることができる。例えば、操作ボタン８は、押ボタンである。本実施形態では、リモコン装置２の前面には、操作ボタン８として、おしり洗浄ボタン８ａ、ビデ洗浄ボタン８ｂ、洗浄調節ボタン８ｃ、乾燥ボタン８ｄ及び停止ボタン８ｅがそれぞれ設けられている。
【００２３】
おしり洗浄ボタン８ａは、トイレ装置１に対しておしり洗浄を開始させるためのボタンである。
ビデ洗浄ボタン８ｂは、トイレ装置１に対してビデ洗浄を開始させるためのボタンである。
洗浄調節ボタン８ｃは、おしり洗浄又はビデ洗浄の吐水の強さを調整するためのボタンである。
乾燥ボタン８ｄは、トイレ装置１に対して局部乾燥を開始させるためのボタンである。
停止ボタン８ｅは、トイレ装置１に対しておしり洗浄、ビデ洗浄、又は局部乾燥を停止させるためのボタンである。
【００２４】
報知部９は、リモコン装置２で発電された電力を用いて押下操作が行われたことを報知する。この報知部９の報知は、ブザーでもよいし、音声でもよいし、表示でもよいし、それらの組み合わせでもよい。表示とは、例えば、ＬＥＤ（Light Emitting Diode）の点灯又は点滅を含む。
【００２５】
以下に、本発明の一実施形態に係るリモコン装置２の構成について具体的に説明する。図３は、本発明の一実施形態に係るリモコン装置２の概略構成の一例を示す図である。
図３に示すように、リモコン装置２は、複数の操作検出部１０（１０ａ〜１０ｅ）、発電部１１、リンク機構１２、及び制御部１３を更に備える。
【００２６】
操作検出部１０は、複数の操作ボタン８ごとに設けられている。すなわち、操作検出部１０は、複数の操作ボタン８のそれぞれに対応して設けられている。また、複数の操作検出部１０は、制御部１３にそれぞれ電気的に接続されている。
この操作検出部１０は、対応する操作ボタン８が操作されたこと（操作ボタン８への操作）を検出する。例えば、操作ボタン８が押ボタンである場合には、操作検出部１０は、対応する操作ボタン８への押下操作を検出する。
【００２７】
本実施形態では、操作検出部１０ａがおしり洗浄ボタン（操作ボタン）８ａに対応して設けられ、操作検出部１０ｂがビデ洗浄ボタン（操作ボタン）８ｂに対応して設けられ、操作検出部１０ｃが洗浄調節ボタン（操作ボタン）８ｃに対応して設けられ、操作検出部１０ｄが乾燥ボタン（操作ボタン）８ｄに対応して設けられ、操作検出部１０ｅが停止ボタン（操作ボタン）８ｅに対応して設けられている。
【００２８】
操作検出部１０は、例えば、プッシュボタンスイッチである。以下に、操作検出部１０における、操作ボタン８に対する押下操作の検出方法について、図４，５を用いて説明する。図４は、本発明の一実施形態に係る操作ボタン８の横断図（図２のＡ−Ａ線断面図）である。図５は、本発明の一実施形態に係る操作ボタン８の縦断面図（図２のＢ−Ｂ線断面図）である。
【００２９】
図４に示すように、操作ボタン８は、リモコン装置２の前面側のケースである上蓋部４０に設けられたボタン孔４１に挿着されている。これにより、操作ボタン８は、ボタン孔４１の軸方向（リモコン装置２の厚さ方向）に対して移動可能となる。
ボタン孔４１の周りには、リング状の補強部１４が形成されている。
【００３０】
操作ボタン８は、被押圧部２１、カム部２５、及びスイッチ押圧部２６を備えている。
【００３１】
被押圧部２１は、例えば、円板状である。この被押圧部２１の上面は、ユーザに押圧される部分である。また、被押圧部２１の周縁には、上面と反対側に向かって垂れ下がった縁取り部２３が設けられている。
【００３２】
縁取り部２３は、リング状であって、その外径寸法が補強部１４の内径寸法に略等しい。この縁取り部２３は、補強部１４に対して摺動可能である。縁取り部２３の下端は、外方に折れ曲がってフランジ２４を構成する。
【００３３】
フランジ２４は、補強部１４の下端に当接して、操作ボタン８が上蓋部４０から外れないようにしている。
【００３４】
カム部２５は、被押圧部２１の裏面において、スイッチ押圧部２６を挟むように一対で突設されている。
カム部２５は、例えば板状であって、一端が被押圧部２１に接続され、他端である自由端には両角に傾斜面が形成されている（図５参照）。この傾斜面が図５に示す第１カム部２７である。
【００３５】
スイッチ押圧部２６は、被押圧部２１の裏面の略中央において、被押圧部２１の上面と反対側に向かって突設している。
スイッチ押圧部２６は、操作検出部１０に対向して設けられており、操作ボタン８が押下操作された場合に操作検出部１０を押圧する。これにより、操作検出部１０は、オン状態となり、操作ボタン８に対する押下操作を検出することになる。なお、スイッチ押圧部２６の形状は、操作検出部１０を押圧できるような任意の形状に変更可能である。
【００３６】
図３に戻り、発電部１１は、各操作ボタン８の少なくともいずれかが押下操作されることで第１の電力を発電し、押下操作された操作ボタン８がその押下操作から解放されることで第１の電力と逆極性の第２の電力を発電する。例えば、第１の電力は正極の交流電力であり、第２の電力は負極の交流電力である。
【００３７】
リンク機構１２は、各操作ボタン８と発電部１１との間に設けられている。そして、リンク機構１２は、各操作ボタン８に対する力を発電部１１に伝達する。
具体的には、リンク機構１２は、複数の操作ボタン８のうち、少なくとも一つの操作ボタン８が押下操作された場合には、その押下操作の押力を発電部１１に伝達することができる。また、このリンク機構１２は、複数の操作ボタン８のうち、少なくとも一つの操作ボタン８の押下操作が解放された場合には、その解放による反力を発電部１１に伝達することができる。
【００３８】
以下に、本実施形態に係る発電部１１の発電方法について、図６を用いて説明する。図６は、本発明の一実施形態に係る発電部１１及びリンク機構１２を模式的に表した図である。
【００３９】
発電部１１は、発電素子１１ａ及び可動部１１ｂを備える。そして、発電素子１１ａは、リンク機構１２により可動部１１ｂが操作されることで発電する。
例えば、ユーザが定常位置Ｈ１にある操作ボタン８を押下操作すると、その操作ボタン８は、定常位置Ｈ１から最下点位置Ｈ２に移動する。この場合には、リンク機構１２は、この操作ボタン８の押下操作により摺動して可動部１１ｂを押し下げる（図６（ａ）から図６（ｂ））。これにより、発電部１１は、第１の電力を発電する。
【００４０】
一方、ユーザが押下操作を解放すると、リンク機構１２は、元の位置に戻る。そのため、操作ボタン８を最下点位置Ｈ２から定常位置Ｈ１に押し上げる。これにより、可動部１１ｂも同時に押し下げられるため、発電部１１は、第２の電力を発電する。（図６（ｂ）から図６（ａ））。
【００４１】
このように、発電部１１は、操作ボタン８が押下操作されることで定常位置Ｈ１から最下点位置Ｈ２に移動するときのその押下操作の押力を電力に変換して第１の電力を発電する。一方、発電部１１は、押下操作が解放されることで操作ボタン８が最下点位置Ｈ２から定常位置Ｈ１に戻るときの反力を電力に変換して第２の電力を発電する。なお、例えば、発電部１１は、電磁誘導により上記押力及び反力を電力に変換してもよいし、圧電素子を用いて上記押力及び反力を電力に変換してもよい。
【００４２】
以下に、本実施形態に係るリンク機構１２の具体的な構成について、図７〜９を用いて説明する。図７は、本発明の一実施形態に係るリンク機構１２の概略構成の一例を示す平面図である。図８は、本発明の一実施形態に係る操作ボタン８が押下操作されていない状態（定常位置Ｈ１の状態）のリンク機構１２の断面図である。図９は、本発明の一実施形態に係る操作ボタン８が押下操作されたときの状態（最下点位置Ｈ２の状態）のリンク機構１２の断面図である。
【００４３】
リンク機構１２は、本体部１０１及び圧縮コイルバネ１１５を備える。
本体部１０１は、ラダー形状である。本体部１０１は、縦木部１１０及び横木部１３０を備える。
【００４４】
縦木部１１０は、長板状の部材である。この縦木部１１０は、本体部１０１に一対で設けられている。
【００４５】
縦木部１１０には、スライド部１１１、被ガイド部１１２、及び第２カム部１２０が形成されている。
【００４６】
スライド部１１１は、縦木部１１０の下面に形成されており、リモコン装置２の後面側のケースである下蓋部４２に対して接触且つ摺動可能に構成されている。スライド部１１１は、リモコン装置２の操作ボタン８に対向する位置に形成されていることが好ましい。なお、縦木部１１０の下面を全面的に下蓋部４２に接触させると接触抵抗が増大するため、本実施形態では、スライド部１１１のみが下蓋部４２に接触し、スライド部１１１以外の下面は、下蓋部４２から離隔している。
【００４７】
被ガイド部１１２は、下蓋部４２から離隔した下面の一部に形成された板状部材である。この被ガイド部１１２は、下蓋部４２に形成されているガイドレール３１に挟み込まれている。これにより、本体部１０１は、被ガイド部１１２がガイドレール３１に案内されることにより、下蓋部４２に対してリモコン装置２の長手方向に摺動する。
【００４８】
圧縮コイルバネ１１５は、縦木部１１０の自由端と下蓋部４２との間に設けられている。この圧縮コイルバネ１１５は、縦木部１１０に対して移動方向とは反対方向に付勢する。
【００４９】
第２カム部１２０は、縦木部１１０の外方側面に形成されている。この第２カム部１２０は、発電部１１の可動部１１ｂに対向している。
【００５０】
横木部１３０は、一対の縦木部１１０に複数懸架されている。本実施形態では、横木部１３０は、操作ボタン８の第１カム部２７に対向する棒状のローラである。
【００５１】
次に、本実施形態に係る操作ボタン８の押下操作によるリンク機構１２の動作について説明する。
【００５２】
ユーザにより操作ボタン８が押下操作されると、操作ボタン８の第１カム部２７である傾斜面又は曲面が本体部１０１の横木部１３０を押圧する。そして横木部１３０が押圧されると、この押圧力が第１カム部２７から縦木部１１０に伝達され、本体部１０１はガイドレール３１に案内されながら、下蓋部４２の面に沿って移動する（図８における右側の方向に移動する）。この本体部１０１の移動に伴い、第２カム部１２０が発電素子１１ａに作用して、その発電素子１１ａの可動部１１ｂを変位させる。これにより、発電部１１が第１の電力を発電する。
【００５３】
一方、操作ボタン８の押下操作が解放されると、圧縮コイルバネ１１５の付勢力により縦木部１１０が元の位置に戻される。そして、縦木部１１０が元の位置に戻ることにより、縦木部１１０が第１カム部２７を押圧して操作ボタン８を持ち上げる。また、この本体部１０１の移動に伴い、その発電素子１１ａの可動部１１ｂを上方に変位させる。これにより、発電部１１が第２の電力を発電する。なお、操作ボタン８は、操作検出部１０に内蔵されている圧縮コイルバネの付勢力（押下方向と反対方向に付勢する力）によって持ち上げられてもよい。
【００５４】
次に、本実施形態に係る制御部１３について説明する。
図１０は、本発明の一実施形態に係る制御部１３の概略構成の一例を示す図である。
図１０に示すように、制御部１３は、整流部１３１、送信部１３２及びアンテナ１３３を備える。
【００５５】
整流部１３１は、発電部１１で発電した第１の電力及び第２の電力のそれぞれを整流す。本実施形態では、この第１の電力は、送信部１３２により用いられ、第２の電力は、報知部９により用いられる。
具体的には、整流部１３１は、複数のダイオード１３１ａ〜１３１ｄを備える。
【００５６】
ダイオード１３１ａのアノードは、ダイオード１３１ｂのアノードと接続点Ｎ１で接続されている。そして、この接続点Ｎ１は、報知部９の負極端子に接続されている。また、接続点Ｎ１は、送信部１３２の負極端子に接続されている。
【００５７】
ダイオード１３１ａのカソードは、ダイオード１３１ｃのアノードと接続点Ｎ２で接続されている。そして、この接続点Ｎ２は、発電部１１の一方の出力端子に接続されている。
【００５８】
ダイオード１３１ｂのカソードは、ダイオード１３１ｄのアノードと接続点Ｎ３で接続されている。そして、この接続点Ｎ３は、発電部１１の他方の出力端子に接続されている。
【００５９】
ダイオード１３１ｃのカソードは、送信部１３２の正極端子に接続されている。
ダイオード１３１ｄのカソードは、報知部９の正極端子に接続されている。
【００６０】
送信部１３２は、整流部１３１で整流された第１の電力を動作電源として動作する。具体的には、送信部１３２は、整流部１３１から第１の電力が供給されると、操作検出部１０からの検出信号に基づいて、複数の操作ボタン８の中から押下操作された操作ボタン８を判別する。例えば、送信部１３２は、検出信号を送信した操作検出部１０を特定し、その特定した操作検出部１０の検出対象である操作ボタン８を特定することで押下操作された操作ボタン８を判別する。
そして、送信部１３２は、押下操作された操作ボタン８に応じた操作信号をアンテナ１３３を介してトイレ装置１に送信する。
【００６１】
アンテナ１３３は、送信部１３２から送信された操作信号を便座装置３に対して無線送信する。
【００６２】
便座装置３は、アンテナ１３３から送信された操作信号を取得した場合には、その取得した操作信号に応じた機能を実行する。この操作信号に応じた機能とは、例えば、操作ボタン８に対応して決定されている機能であって、便器洗浄や衛生洗浄の吐水等である。このように、ユーザは、所望の機能に対応した操作ボタン８を押下操作することで、便座装置３に対して所望の機能を実行させることができる。
【００６３】
以下に、本実施形態に係る制御部１３の動作の流れについて図１１を用いて説明する。
まず、図１１（ａ）を用いて、操作ボタン８が押下操作された場合の制御部１３の動作について説明する。
【００６４】
操作ボタン８が押下操作されると、発電部１１で発電した正極性の第１の電力は、発電部１１の一方の出力端子から出力され、接続点Ｎ２、ダイオード１３１ｃ、送信部１３２の正極端子、送信部１３２の負極端子、接続点Ｎ１、ダイオード１３１ｂ、及び接続点Ｎ３を経由する経路Ｗ１を通り、発電部１１の他方の出力端子に戻る。したがって、整流部１３１で整流された第１の電力は、送信部１３２に供給される。なお、この第１の電力は、送信部１３２にのみに供給され、報知部９には供給されない。これにより、送信部１３２は、操作信号を生成及び送信するための十分な電力を確保することができる。
【００６５】
次に、図１１（ｂ）を用いて、操作ボタン８の押下操作が解放された場合の制御部１３の操作について説明する。
【００６６】
操作ボタン８の押下操作が解放されると、発電部１１で発電した負極性の第２の電力は、発電部１１の他方の出力端子から出力され、接続点Ｎ３、ダイオード１３１ｄ、報知部９の正極端子、報知部９の負極端子、接続点Ｎ１、ダイオード１３１ａ、接続点Ｎ２を経由するＷ２を通り、発電部１１の一方の出力端子に戻る。したがって、整流部１３１で整流された第２の電力は、報知部９に供給される。これにより、報知部９は、整流部１３１で整流された第２の電力を用いて、操作ボタン８の押下操作が行われたことを報知する。なお、この第２の電力は、報知部９にのみに供給され、送信部１３２には供給されない。これにより、報知部９は、報知するための十分な電力を確保することができる。
【００６７】
以上、この発明の実施形態について図面を参照して詳述してきたが、具体的な構成はこの実施形態に限られるものではなく、この発明の要旨を逸脱しない範囲の設計等も含まれる。
【００６８】
（変形例１）
本発明の一実施形態に係る制御部１３は、図１２に示す構成を採用することができる。以下に、変形例１に係る制御部１３について、説明する。
図１２は、本発明の一実施形態に係る変形例１の制御部１３の概略構成を示す図である。図１２に示すように、制御部１３は、整流部１３１、送信部１３２、アンテナ１３３、及びダイオード１３４を備える。
【００６９】
変形例１の整流部１３１は、発電部１１に発電した第１の電力のみを整流する。すなわち、変形例１では、第１の電力は整流部１３１により整流された後に送信部１３２に供給されるが、第２の電力は整流部１３１により整流されずに報知部９に供給される。
具体的には、変形例１の整流部１３１は、複数のダイオード１３１ｅ，１３１ｆを備える。
【００７０】
ダイオード１３１ｅのアノードは、発電部１１の一方の出力端子に接続されている。ダイオード１３１ｅのカソードは、送信部１３２の正極端子に接続されている。
【００７１】
ダイオード１３１ｆのアノードは、送信部１３２の負極端子に接続されている。ダイオード１３１ｆのカソードは、発電部１１の他方の出力端子及び報知部９の正極端子に接続されている。
【００７２】
なお、変形例１の送信部１３２及びアンテナ１３３の動作は、上記実施形態と同様であるため、説明を省略する。
【００７３】
ダイオード１３４のアノードは、報知部９の負極端子に接続されている。また、ダイオード１３４のカソードは、発電部１１の一方の出力端子に接続されている。
【００７４】
以下に、変形例１に係る制御部１３の動作の流れについて図１３を用いて説明する。
まず、図１３（ａ）を用いて、操作ボタン８が押下操作された場合の変形例１の制御部１３の動作について説明する。
【００７５】
操作ボタン８が押下操作されると、発電部１１で発電した正極性の第１の電力は、発電部１１の一方の出力端子から出力され、ダイオード１３１ｅ、送信部１３２の正極端子、送信部１３２の負極端子、ダイオード１３１ｆを経由する経路Ｗ´１を通り、発電部１１の他方の出力端子に戻る。したがって、整流部１３１で整流された第１の電力は、送信部１３２に供給される。なお、この第１の電力は、送信部１３２にのみに供給され、報知部９には供給されない。これにより、送信部１３２は、操作信号を生成及び送信するための十分な電力を確保することができる。
【００７６】
次に、図１３（ｂ）を用いて、操作ボタン８の押下操作が解放された場合の制御部１３の操作について説明する。
【００７７】
操作ボタン８の押下操作が解放されると、発電部１１で発電した負極性の第２の電力は、発電部１１の他方の出力端子から出力され、報知部９の正極端子、報知部９の負極端子、ダイオード１３４を経由するＷ´２を通り、発電部１１の一方の出力端子に戻る。したがって、発電部１１で発電された第２の電力は、整流部１３１を介さずに直接報知部９に供給される。これにより、報知部９は、第２の電力を用いて、操作ボタン８の押下操作が行われたことを報知する。なお、この第２の電力は、報知部９にのみに供給され、送信部１３２には供給されない。これにより、報知部９は、報知するための十分な電力を確保することができる。
【００７８】
（変形例２）
上記実施形態では、リモコン装置２は、第１の電力を送信部１３２に供給し、第２の電力を報知部９に供給したが、これに限定されない。例えば、リモコン装置２は、第２の電力を送信部１３２に供給し、第１の電力を報知部９に供給してもよい。
【００７９】
（変形例３）
上記実施形態では、リモコン装置２は、第１の電力のみを送信部１３２に供給し、第２の電力のみを報知部９に供給したが、これに限定されない。例えば、リモコン装置２は、第１の電力及び第２の電力を、送信部１３２及び報知部９の両方に供給してもよい。すなわち、報知部９は、第１の電力と第２の電力のうち、少なくともいずれか一方の電力を用いて報知する。また、送信部１３２は、第１の電力と第２の電力のうち、少なくともいずれか一方の電力を用いて操作ボタン８に応じた操作信号をトイレ装置１に送信する。
【００８０】
上述したように、本実施形態に係るリモコン装置２は、発電部１１及び報知部９を備える。この発電部１１は、操作ボタン８が押下操作されることで第１の電力を発電し、操作ボタン８が押下操作から解放されることで第１の電力と逆極性の第２の電力を発電する。報知部９は、第１の電力と第２の電力のうち、どちらか一方の電力を用いて押下操作が行われたことを報知する。これにより、リモコン装置２は、発電した電力により報知することが可能となり、ユーザビリティを向上させることができる。
【符号の説明】
【００８１】
Ａ  トイレシステム
１  トイレ装置
２  リモコン装置
８  操作ボタン（操作部）
９  報知部
１１  発電部
１３  制御部
１３１  整流部
１３２  送信部
【図１】
2019054442.tif 000003
【図２】
2019054442.tif 000004
【図３】
2019054442.tif 000005
【図４】
2019054442.tif 000006
【図５】
2019054442.tif 000007
【図６】
2019054442.tif 000008
【図７】
2019054442.tif 000009
【図８】
2019054442.tif 000010
【図９】
2019054442.tif 000011
【図１０】
2019054442.tif 000012
【図１１】
2019054442.tif 000013
【図１２】
2019054442.tif 000014
【図１３】
2019054442.tif 000015